(57)【特許請求の範囲】
【請求項１】
回転駆動されるように支持された多孔板製横形円筒形の内胴と、内胴の外周側に内胴と一定の隙間をおいて固設され、内胴の外周から内周へ向う空気通路の空気入口と内胴の内周から外周へ向う空気通路の空気出口を備えた外胴フレームと、上記空気入口を通じて取入れる外気を加熱するとヒータと、ヒータで加熱した空気を前記外胴フレームの空気入口、内胴、外胴フレームの空気出口を通り外部へ排出する空気通路と、前記空気通路に外気を導入し空気流を生ぜしめるファンと、内胴のほぼ全幅にわたって内胴に取り付けられ、内外胴間の隙間の綿ぼこりを清掃する清掃部材と、を備えた乾燥機。
【請求項２】
外胴フレームの空気入口を内胴の直上に有し、外胴フレームの空気出口を内胴の直下に設けたことを特徴とする請求項１に記載の乾燥機。
【請求項３】
清掃部材は内胴の周方向を等配して３以上有することを特徴とする請求項１又は２に記載の乾燥機。
【請求項４】
清掃部材は内胴の母線上に設けたことを特徴とする請求項３に記載の乾燥機。
【請求項５】
清掃部材は着脱可能に内胴に取り付けられていることを特徴とする請求項３又は４に記載の乾燥機。
【請求項６】
清掃部材はブラシであることを特徴とする請求項１から５の何れか１つに記載の乾燥機。
【請求項７】
清掃部材は弾性ブレードであることを特徴とする請求項１から５の何れか１つに記載の乾燥機。
【発明の詳細な説明】
【０００１】
【産業上の利用分野】
本発明は、シーツ、衣類等の乾燥機に関する。
【０００２】
【従来の技術】
従来、多孔板製の横形円筒形内胴を回転駆動するように支持し、空気入口と空気出口を除いて内胴と隙間をおいて外胴フレームで内胴を覆って、前記空気入口に大気側を連通する空気通路にヒータを設け、前記空気出口と大気側を連通する空気通路に排湿ファンを設け、空気出口の後流の通路には、リント、ゴミ等の綿ぼこりを除去するフィルタを設けている。
【０００３】
上記のままでは、内胴と外胴フレーム間に綿ぼこりが溜まったり、或は、熱風の吹きぬけ量が増えたりするので、外胴フレームには全幅にわたり内胴の外周に摺擦するブラシを固定している。
【０００４】
【発明が解決しようとする課題】
ブラシが外胴フレームに固定されているため、内胴の外周は当初は清掃されるが、累計運転時間が長くなるにつれて、ブラシの内胴外周が進入してくる手前側にリント、ゴミ等の綿ぼこりが堆積する。処が外胴フレームにブラシが固定されているため、ブラシの掃除がそのままでは出来ない。そのためには内胴を外す必要があるが実際には時間がかかり行えない。一方、ブラシから内胴外周が遠のいて行く後流側で内胴と外胴フレーム間へリント、ゴミ等の綿ぼこりが進入するがこれはそのまま内胴と外胴フレームの間に溜まってしまう。この間に綿ぼこりが溜まると静電気による引火も考えられ好ましいことではない。
【０００５】
本発明は、内胴と外胴フレーム間にリント、ゴミ等の綿ぼこりが溜まらない乾燥機を提供することを目的とする。
【０００６】
【課題を解決するための手段】
本発明の第１の発明は回転駆動されるように支持された多孔板製横形円筒形の内胴と、内胴の外周側に内胴と一定の隙間をおいて固設され、内胴の外周から内周へ向う空気通路の空気入口と内胴の内周から外周へ向う空気通路の空気出口を備えた外胴フレームと、上記空気入口を通じて取入れる外気を加熱するとヒータと、ヒータで加熱した空気を前記外胴フレームの空気入口、内胴、外胴フレームの空気出口を通り外部へ排出する空気通路と、前記空気通路に外気を導入し空気流を生ぜしめるファンと、内胴のほぼ全幅にわたって内胴に取り付けられ、内外胴間の隙間の綿ぼこりを清掃する清掃部材と、を備えた乾燥機である。
【０００７】
本発明の第２の発明は外胴フレームの空気入口を内胴の直上に有し、外胴フレームの空気出口を内胴の直下に設けたことを特徴とする第１の発明に記載の乾燥機である。
【０００８】
本発明の第３の発明は清掃部材は内胴の周方向を等配して３以上有することを特徴とする第１又は第２の発明に記載の乾燥機である。
【０００９】
本発明の第４の発明は清掃部材は内胴の母線上に設けたことを特徴とする第３の発明に記載の乾燥機である。
【００１０】
本発明の第５の発明は清掃部材は着脱可能に内胴に取り付けられていることを特徴とする第３又は第４の発明に記載の乾燥機である。
【００１１】
本発明の第６の発明は清掃部材はブラシであることを特徴とする第１から第５の発明の何れか１つに記載の乾燥機である。
【００１２】
本発明の第７の発明は清掃部材は弾性ブレードであることを特徴とする第１から第５の発明の何れか１つに記載の乾燥機である。
【００１３】
【実施例】
以下、本発明の実施例を図面に従って説明する。
【００１４】
（実施例１）
図１、図２は、実施例１を示す。内胴１は多孔板、例えばステンレス鋼板製で横形の円筒形の内胴本体１ａを有し、内周側軸方向に内胴桟１ｂが等配して設けられ、両端部外周に断面Ｌ形の輪状の起動輪１ｃが設けてある。
【００１５】
前記起動輪１ｃの下半円側をゴムローラ２により支持されている。ゴムローラ２の内少なくとも１つは駆動装置のモータに動力伝達部材例えばベルトを介して連結されている。
【００１６】
内胴１の外周と間隔をおいて外胴フレーム３が設けてある。外胴フレーム３は内胴１に沿う円筒形外胴部３ａの上部が軸方向に開口して空気入口３ｂを構成し、外胴部３ａの下部が軸方向に開口して空気出口３ｃを構成しており、外胴部３ａの前端には前扉装置４が固定され、外胴部３ａの後端には後端板３ｄが設けられている。後端板３ｄの円筒形開口３ｅは軌道輪１ｃのリツプ１ｄ外周に接近しており、この後端板３ｄの円筒形開口３ｅと軌道輪１ｃのリップ１ｄ間において後扉３ｆの円筒形嵌合部が後端板３ｄの円筒形開口３ｅに押し込み嵌合されている。
【００１７】
前扉装置４は中心に被乾燥物を出し入れする開口４ａを有する前扉ガイド部材４ｂが外胴フレーム３に固定され、前扉ガイド部材４ｂには、前扉４ｃが前扉ガイド部材４ｂに出入り自在で、且つ開いた位置と閉めた位置を保持できるように設けてある（保持部材は示されていない）。
【００１８】
前記空気入口３ｂから内胴本体１ａをとおり空気出口３ｃに到る空気通路を仕切るように外胴フレーム３の軸方向の中央は仕切り板６で仕切ってあり、仕切り板６は内胴本体１ａの外周に接近した円穴を有する。
【００１９】
内胴本体１ａの外周には母線に沿って清掃部材として仕切りブラシ５が３等配して設けてある。この仕切りブラシ５の数は３以上が好適であり、この数は、図１において左右の内胴１と外胴フレーム３間の隙間に夫々常に仕切りブラシ５が１つ以上あるように設けるのがよく、最小の数は３となる（以下、本実施例で仕切りブラシ５を分けて説明する際は符号５ａ，５ｂ，５ｃを用いる）。そして空気入口３ｂ、空気出口３ｃの大きさと配置によっては更に多くの仕切りブラシ５が必要である。
【００２０】
図３に仕切りブラシ５の内胴１への取り付けの詳細を示す。図２に示すように内胴１と外胴フレーム３間はその軸方向を仕切る仕切り板６の近くから軌道輪１ｃ間の長さを仕切りブラシ５は持っている。図３において内胴棧１ｂを固定するため内胴本体１ａを挿通して内胴棧１ｂへねじ込まれたボルト７に共締めされたブラケット８に挟持され且つブラケット８を挿通する小ねじ９が仕切りブラシ５の基部５Ｂ下方を挿通し、小ねじ９にナット１０をねじ込むことによって仕切りブラシ５は内胴１に着脱可能となっている。仕切りブラシ５は合成樹脂の基部５Ｂにブラシ毛５Ａを植毛したものである。或は、仕切りブラシ５は基部５Ｂが板金製で、ブラシ毛５Ａと基部５Ｂに係止したものでもよい。
【００２１】
外胴フレーム３の空気入口３ｂには空気入口３ｂへ外気を導入する空気通路を形成する入口ダクト１１が接続される。このダクト１１の高さは円筒形外胴部３ａ中心から、円筒形外胴部３ａの半径よりやや高さか高く、円筒形外胴部３ａの一部を内部に包み込み、空気入口３ｂと符号１１ａ間は外胴フレーム３の軸方向の長さとほぼ同長さであり、ヒータ１２に向って側壁１１ｂが近づくように断面が縮小している。入口ダクト１１の入口に設けるヒータ１２は電気発熱抵抗体或は熱媒体が蒸気の熱交換器等である。入口ダクト１１は仕切り板６によって分れている。
【００２２】
外胴フレーム３に設けた空気出口３ｃには排気ダクト２０が設けられ、排気ダクト２０の出口は排湿ファン１３に連結されている。
【００２３】
排気ダクト２０は図２に示すように仕切り板６でもって左右に分れており、空気出口３ｃの直下は六立方体形であってその底板２０ａに平行して多孔板のベルトガイド板２１が設けてある。
【００２４】
図２に示すようにベルトガイド板２１の直上で排気ダクト２０の側板には無端の網ベルト１４が挿通するスリット２０ｂが設けられ、スリット２０ｂを挿通する網ベルト１４はベルトガイド板２１上を図示矢印チ方向に移動するようにローラ１５ａ，１５ｂに巻掛けられている。ローラ１５ｂは駆動モータに連結され、ローラ１５ａは自在回転ローラである。そしてこの網ベルト１４は排気ダクト２０の底板２０ａの外側を回り込んでいる。
【００２５】
ベルトガイド板２１上の網ベルト１４の移動方向の下流側に向ってバキューム口１６ａを開口している綿ぼこり吸引ダクト１６はリントボックス１７の入口１７ａに結合され、この入口１７ａに対してリントボックス１７中を仕切るように設けたリント捕集袋１８を間にしてリントボックス１７の出口１７ｂと排気ダクト２０の下流側間は空気吸引ダクト１９で連結されている。リントボックス１７は開閉自在なふた１７ｃで閉じられている。空気吸引ダクト１９と排気ダクト２０の結合部は排湿ファン１３の吸込口近くとして吸引ヘッドを大きくしてある。
【００２６】
上記構成の作用を説明する。前扉４ｃをあけて内胴１へ衣類、シーツ等の被乾燥物を投入し、前扉４ｃを閉める。そして始動スイッチを入れると、ゴムローラ２、ヒータ１２、排湿ファン１３が運転される。網ベルト１４の駆動ローラ１５ｂは運転中常時回転してもよく、間欠回転してもよい。或は乾燥工程の最終工程においてヒータ１２が消勢され、被乾燥物を冷却するため、排湿ファン１３が運転されている際にのみ駆動してもよい。
【００２７】
ゴムローラ２の回転により内胴１は回転する。排湿ファン１３の運転により、外気は矢印イの方向からヒータ１２を通過する際加熱され、矢印ロでは熱風となって入口ダクト１１中を進み、空気入口３ｂを矢印ハのように進む。矢印ハのようにして進んだ空気は、回転している内胴本体１ａの多孔板を外側から内側へ抜ける。この多孔板の絞り抵抗により、内胴１内は入口ダクト１１中よりも空気圧は低く、吸込空気は外胴部３ａと内胴本体１ａ間の隙間に沿って進み、図において相隣る仕切りブラシ５ａ，５ｂに阻止されるので、吸込まれた熱風は相隣る仕切りブラシ５ａ，５ｂ間の内胴本体１ａを通りぬけて、内胴１内の被乾燥物に方向が変化する矢印ニのように衝突して加熱と通風により乾燥させる。この際被乾燥物は内胴桟１ｂにより内胴１内で持上げられて落下をして多面が熱風に当るように運動すると共に内胴本体１ａをとおりぬける熱風も相隣る仕切りブラシ５ａ，５ｂが周方向に移動するため、被乾燥物に当る風の方向を多様に変化させる。
【００２８】
この点を詳細に述べる。図４、図５、図６、図７に示すように内胴１が反時計回りに回転するとする。図４に示す状態では、仕切りブラシ５ａが空気入口３ｂからすぐ近くの外胴部３ａに接し、仕切りブラシ５ｂは空気入口３ｂから遠くに位置している。相隣る仕切りブラシ５ａ，５ｂ間においては、外胴フレーム３の空気入口３ｂにおいては内胴本体１ａを外から内側へ熱風がとおりぬけるが、図４の右側の外胴部３ａと内胴本体１ａ間の隙間へ進んだ熱風は内胴本体１ａの外から中へとおりぬける。これによって全体としては左下方を向いて被乾燥物に熱風が送られる。
【００２９】
内胴１が回転して図５のように左右上側で外胴部３ａと内胴本体１ａ間の隙間が空気入口３ｂに通ずるようになる。これによって相隣る仕切りブラシ５ａ，５ｂ間から全体として下方へ熱風が送られることになる。
【００３０】
上記状態から内胴１が回転すると図６のように仕切りブラシ５ｂが空気入口３ｂの縁に近ずき、仕切りブラシ５ａは空気入口３ｂの縁から遠く離れ、空気入口３ｂ直下から内胴本体１ａを外から内へ熱風がとおりぬけると共に空気入口３ｂから内胴本体１ａと外胴部３ａ間をとおり仕切りブラシ５ａとの間において内胴本体１ａの外から内へ熱風がとおりぬけるので、全体としては左上から右下へ熱風が吹き付けられる。
【００３１】
図７のように仕切りブラシ５ｂが空気入口３ｂ内へ出ると、内胴本体１ａと外胴部３ａ間に空気入口３ｂから仕切りブラシ５ａ及び５ｃに到る空間ができる。熱風は空気入口３ｂ直下で内胴本体１ａを外から内へ吹きぬけると共に空気入口３ｂから左右に分れて内胴本体１ａと外胴部３ａ間を進んで内胴本体１ａを外から内へ吹きぬける。この場合、内胴本体１ａを外側から内側へ吹きぬける熱風の範囲は内胴１の中心角で約２４０度と拡くなる。そしてこの熱風はほぼ内胴本体１ａを上から下へ吹く。
【００３２】
更に内胴１が回転すると、図４の符号５ａの位置に仕切りブラシ５ｂが来て図４のようになる。このように内胴１内では熱風の向きが多様に変化する。そして図１において方向が変化するが矢印ニ方向に進む従って被乾燥物の多面に熱風を吹き付けることができる。
【００３３】
上記のように内胴１が回転する間、仕切りブラシ５は外胴部３ａを摺擦するので外胴部３ａと内胴本体１ａ間にはリント、ゴミ等の綿ぼこりは溜ることがない。そして仕切りブラシ５により掻き取られた外胴部３ａ内周の綿ぼこりは空気出口３ｃ内に仕切りブラシ５が現われた際、落下してベルトガイド板２１上の網ベルト１４上に落ち取り除かれ、熱風は網ベルト１４を通過して排気ダクト２０をとおり排湿ファン１３により排出される。
【００３４】
上記において駆動ローラ１５ｂの回転により網ベルト１４は矢印チの方向に移動し、網ベルト１４がふるったふるい上の綿ぼこりはバキューム口１６ａから吸引ダクト１６に空気と共に吸い込まれ、該ダクト１６をとおり、リントボックス１７の入口１７ａからリントボックス１７内へ進み、リントボックス１７中のリント捕集袋１８で綿ぼこりを取り除かれた空気は出口１７ｂから空気吸引ダクト１９をとおり、図１の矢印ルのように排気ダクト２０を流れる排気に合流して排湿ファン１３により排出される。内胴本体１ａを空気出口３ｃへ出た排気は矢印ホのように移動し網ベルト１４を通過して綿ぼこりを除去され排気ダクト２０中を矢印ヘの方向に進んで排湿ファン１３により矢印トのように吸い込まれ排出される。
【００３５】
（実施例２）
本実施例は外胴部３ａの清掃部材をゴムブレードとしたものである。図３を援用して説明すると、図３において、ブラシ毛５Ａに代え、ブラシ毛５Ａを帯状のゴム板製のゴムブレードとしたものであってゴムブレードはブラシ毛５Ａを取り付ける基部５Ｂに代わる取付部材に加硫接着する。ゴムブレードは軽く先端が外胴部３ａ内周に圧接するように設ける。又、その他の弾性部材としては、スポンジ等を用いることも可能である。
【００３６】
【発明の効果】
本発明の第１の発明は、外胴内に多孔板の内胴が隙間をおいて配設され、内胴のほぼ全幅にわたって内外胴間の隙間を清掃する清掃部材を設けたため、内外胴間に綿ぼこりが溜らない。又、清掃部材は外胴に設けた内胴に対する空気入口又は出口位置に停止させて清掃部材に付着した綿ぼこりの除去、清掃部材の交換が装置を分解することなく行うことができる。更に内胴内の被乾燥物に多様な方向から熱風をあてることができ、乾燥時間を短くすることを期待できる。
【００３７】
本発明の第２の発明は、外胴フレームの空気入口を内胴の直上に有し、外胴フレームを内胴の直下に設けたため、被乾燥物が内胴の回転により、撹拌されると共に内胴フレームの外から内へ吹き込む熱風の方向及び拡がりが変化するので熱風がくまなく被乾燥物間に作用し、被乾燥物の種類によっては乾燥時間が短くなる。
【００３８】
本発明の第３の発明は、第１又は第２の発明において、清掃部材は内胴を等配して３以上有するため、外胴フレームの空気入口、空気出口を大きくとったとしても、清掃部材の少くとも１つは常に内外胴の隙間を閉塞するようにできるので内外胴間の隙間を熱風が吹きぬけることがない。
【００３９】
本発明の第４の発明は、第３の発明において、清掃部材を内胴の母線上に設けてあるので、清掃部材を空気入口又は空気出口へ位置するだけで清掃できる。
【００４０】
本発明の第５の発明は、第３又は第４の発明において、清掃部材を着脱可能としたので、清掃部材の交換ができる。
【００４１】
本発明の第６の発明は、第１から第５の何れか１つの発明において、清掃部材をブラシとしたので外胴に対する摺動抵抗が小さい。
【００４２】
本発明の第７の発明は、第１から第５の何れか１つの発明において、清掃部材を弾性ブレードとしたので、弾性ブレードに綿ぼこりが付着し難く、付着しても掃除し易い。
【図面の簡単な説明】
【図１】本発明の実施例１の軸直角縦断面図である。
【図２】図１に直角な縦断面図である。
【図３】清掃部材の詳細を示し、図１のＡ部拡大図である。
【図４】図１の作用を示す縦断面図である。
【図５】図１の作用を示す縦断面図である。
【図６】図１の作用を示す縦断面図である。
【図７】図１の作用を示す縦断面図である。
【符号の説明】
１  内胴
２  ゴムローラ
３  外胴フレーム
５  仕切りブラシ                        ．
【図１】
0003594690.tif 000002
【図２】
0003594690.tif 000003
【図３】
0003594690.tif 000004
【図４】
0003594690.tif 000005
【図５】
0003594690.tif 000006
【図６】
0003594690.tif 000007
【図７】
0003594690.tif 000008